(57)【要約】本発明は、底面から上面まで縦方向（Ｌ）に延びる管状の容器本体を形成する、前面パネル（１０）、背面パネル（１２）および２枚の側面パネル（１４、１６）と、前面パネル（１０）から縦方向（Ｌ）に延びるように形成され、折り曲げられてパッケージの上面を実質的に形成する第１の上面パネル（３０）と、第１の２枚のフラップの組であって、それぞれが各側面パネル（１４、１６）から縦方向（Ｌ）に延びるように形成されている、第１の２枚のフラップの組（４０、６０）と、縦方向（Ｌ）に直交する互いに逆向きの横方向（Ｔ１、Ｔ２）に延びる第２の２枚のフラップの組であって、それぞれのフラップ（４５、６５）が第１の上面パネル（３０）の各側端部上で第１の上面パネル（３０）から延びるように形成されている、第２の２枚のフラップの組（４５、６５）とを有する、パッケージおよびブランクに関する。
2009520652.tif 000002
【特許請求の範囲】
【請求項１】
底面から上面まで縦方向（Ｌ）に延びる管状の容器本体を形成する、前面パネル（１０）と背面パネル（１２）と２枚の側面パネル（１４、１６）とを有するパッケージにおいて、該パッケージが、
前記前面パネル（１０）から前記縦方向（Ｌ）に延びるように形成され、折り曲げられて前記パッケージの上面を実質的に形成する第１の上面パネル（３０）と、
第１の２枚のフラップの組であって、それぞれが、前記各側面パネル（１４、１６）から前記縦方向（Ｌ）に延びるように形成され、折り曲げられて前記各側面パネル（１４、１６）と平面的に重なる、第１の２枚のフラップの組（４０、６０）と、
前記縦方向（Ｌ）に直交する互いに逆向きの横方向（Ｔ１、Ｔ２）に延びる第２の２枚のフラップの組であって、それぞれのフラップ（４５、６５）が、前記第１の上面パネル（３０）の各側端部上で前記第１の上面パネル（３０）から延びるように形成され、折り曲げられて前記各側面パネル（１４、１６）と平面的に重なる、第２の２枚のフラップの組（４５、６５）とをさらに有し、
前記第１の組の２枚のフラップ（４０、６０）のそれぞれが、前記第２のフラップの組（４５、６５）の各フラップと対応付け（４０と４５、６０と６５）され、
前記第１の組のフラップの各内面が、前記第２の組の対応付けされた前記各フラップの内面に当接することを特徴とするパッケージ。
【請求項２】
前記背面パネル（１２）から前記縦方向（Ｌ）に延びるように形成され、折り曲げられて前記第１の上面パネル（３０）と共に前記パッケージの上面を部分的に形成する第２の上面パネル（５０）をさらに有する、請求項１に記載のパッケージ。
【請求項３】
前記第１および第２の上面パネル（３０、５０）が、前記各上面パネル（３０、５０）から前記縦方向（Ｌ）に延びる密封領域（３２、５２）をそれぞれ有し、該密封領域が、前記各上面パネル（３０、５０）に沿ってある距離（３２ｂ、３２ｃ、５２ｂ、５２ｃ）だけ前記各上面パネルを越えて前記各横方向（Ｔ１、Ｔ２）に延びている、請求項２に記載のパッケージ。
【請求項４】
前記第２の上面パネル（５０）の前記縦方向（Ｌ）への長さが、前記第２の上面パネル（５０）の前記密封領域（５２）の前記縦方向（Ｌ）への長さに等しい、請求項３に記載のパッケージ。
【請求項５】
前記各側面パネル（１４、１６）が、前記横方向（Ｔ１、Ｔ２）に平行に延びる幅を有し、前記第１のフラップの組の前記各フラップ（４０、６０）が、前記幅に沿って、好ましくは前記幅全体に沿って延びる底辺を有する三角形または頂点が切り取られた三角形として形成されている、請求項１から４のいずれか１項に記載のパッケージ。
【請求項６】
前記第１の上面パネル（３０）が、上面パネルとして折り曲げられる前に前記縦方向（Ｌ）に沿った長さを有し、前記第２のフラップの組の前記各フラップ（４５、６５）が、前記長さに沿って、好ましくは前記長さ全体に沿って延びる底辺を有する三角形または頂点が切り取られた三角形として形成されている、請求項１から５のいずれか１項に記載のパッケージ。
【請求項７】
前記第１の上面パネル（３０）上に配置された開放装置（７０）をさらに有する、請求項１から６のいずれか１項に記載のパッケージ。
【請求項８】
管状の容器本体を形成して底面から上面まで縦方向（Ｌ）に延びるようになっている、前面パネル（１０）と背面パネル（１２）と２枚の側面パネル（１４、１６）とを有するブランクにおいて、該ブランクが、
前記前面パネル（１０）から前記縦方向（Ｌ）に延びるように形成され、パッケージの上面を実質的に形成するように折り曲げ可能である第１の上面パネル（３０）と、
第１の２枚のフラップの組であって、それぞれが、前記各側面パネル（１４、１６）から前記縦方向（Ｌ）に延びるように形成され、前記各側面パネル（１４、１６）に対して折り曲げ可能である、第１の２枚のフラップの組（４０、６０）と、
前記縦方向（Ｌ）に直交する互いに逆向きの横方向（Ｔ１、Ｔ２）に延びる第２の２枚のフラップの組（４５、６５）であって、
（ａ）それぞれのフラップ（４５、６５）が、前記第１の上面パネル（３０）の各側端部上で前記第１の上面パネル（３０）から延びるように形成され、前記第１の上面パネル（３０）に対して折り曲げ可能であるか、または、
（ｂ）第１のフラップ（４５）が、前記第１の上面パネル（３０）の側部上で前記第１の上面パネル（３０）から延びるように形成されており、第２のフラップ（６５）が、第１の補助上面パネル（３０’）の側部上から延びるように形成されており、前記第１の補助上面パネルが、前記ブランクがパッケージに形成される時に前記第１の上面パネル（３０）と重なるようになっている、第２の２枚のフラップの組（４５、６５）とを有し、
前記第１の組の２枚のフラップ（４０、６０）のそれぞれが、前記第２のフラップの組（４５、６５）の各フラップと対応付け（４０と４５、６０と６５）され、
前記第１の組のフラップ（４０、６０）の各内面が、前記第２の組の対応付けされた前記各フラップ（４５、６５）の内面に当接するようになっていることを特徴とするブランク。
【請求項９】
前記背面パネル（１２）から前記縦方向（Ｌ）に延びるように形成され、折り曲げられて前記第１の上面パネル（３０）と共に前記パッケージの上面を部分的に形成するようになっている第２の上面パネル（５０）をさらに有する、請求項８に記載のブランク。
【請求項１０】
前記第１および第２の上面パネル（３０、５０）が、前記各上面パネル（３０、５０）から前記縦方向（Ｌ）に延びる密封領域（３２、５２）をそれぞれ有し、該密封領域が、前記各上面パネル（３０、５０）に沿ってある距離（３２ｂ、３２ｃ、５２ｂ、５２ｃ）だけ前記各上面パネルを越えて前記各横方向（Ｔ１、Ｔ２）に延びている、請求項９に記載のブランク。
【請求項１１】
前記第２の上面パネル（５０）の前記縦方向（Ｌ）への長さが、前記第２の上面パネル（５０）の前記密封領域（５２）の前記縦方向（Ｌ）への長さに等しい、請求項１０に記載のブランク。
【請求項１２】
前記各側面パネル（１４、１６）が、前記横方向（Ｔ１、Ｔ２）に平行に延びる幅を有し、前記第１のフラップの組の前記各フラップ（４０、６０）が、前記幅に沿って、好ましくは前記幅全体に沿って延びる底辺を有する三角形または頂点が切り取られた三角形として形成されている、請求項８から１１のいずれか１項に記載のブランク。
【請求項１３】
前記第１の上面パネル（３０）が、前記縦方向（Ｌ）に沿った長さを有し、前記第２のフラップの組の前記各フラップ（４５、６５）が、前記長さに沿って、好ましくは前記長さ全体に沿って延びる底辺を有する三角形または頂点が切り取られた三角形として形成されている、請求項８から１２のいずれか１項に記載のブランク。
【発明の詳細な説明】
【技術分野】
【０００１】
本発明は、拡張された上面パネルを有するパッケージに関する。ジュース、牛乳、ワイン、トマトソース、コーンフレーク等のような注出可能な液状食品または固形食品用にパッケージを使用することが意図されており、そのため、パッケージの基本的な構成概念によって、このように意図された使用が可能であるようになっている。パッケージは、他の種類の物品に使用することができる。
【背景技術】
【０００２】
欧州特許第１１７２３０１号明細書には、注出可能な食品用の密封パッケージが開示されている。このパッケージは、シート包装材料で作られており、横密封バンドが交差した上面壁を有している。密封バンドは、折り線に沿って上面壁と同一平面となるように上面壁上へ折り曲げられる平坦な突出タブを形成している。開放装置は、上面壁の一部に取り付けられている。タブは、密封バンドと折り線との間に置かれたストリップ状の補助部を有しているため、開放装置に利用可能な上面壁部分の面積が、補助部の幅の分だけ増加することになる。しかしながら、パッケージの内側で、折り線が開放装置の利用可能な自由な注出領域の妨げとなることに留意されよう。補助部は、パッケージの外側での固定領域を拡大させるだけである。
【発明の開示】
【発明が解決しようとする課題】
【０００３】
このように、利用可能な大きい注出領域を有することのできる大型の開放装置を受け入れるようになっているパッケージを形成するための満足のいく解決策は得られていない。
【課題を解決するための手段】
【０００４】
（発明の概要）
本発明の目的は、利用可能な大きい注出領域を与える大型の開放装置を受け入れるようになっているパッケージを提供することである。
【０００５】
この目的は、底面から上面まで縦方向に延びる管状の容器本体を形成する、前面パネルと背面パネルと２枚の側面パネルとを有するパッケージにおいて、該パッケージが、前記前面パネルから前記縦方向に延びるように形成され、折り曲げられて前記パッケージの上面を実質的に形成する第１の上面パネルと、第１の２枚のフラップの組であって、それぞれが、前記各側面パネルから前記縦方向に延びるように形成され、折り曲げられて前記各側面パネルと平面的に重なる、第１の２枚のフラップの組と、前記縦方向に直交する互いに逆向きの横方向に延びる第２の２枚のフラップの組であって、それぞれのフラップが、前記第１の上面パネルの各側端部上で前記第１の上面パネルから延びるように形成され、折り曲げられて前記各側面パネルと平面的に重なる、第２の２枚のフラップの組とをさらに有し、前記第１の組の２枚のフラップのそれぞれが、前記第２のフラップの組の各フラップと対応付けされ、前記第１の組のフラップの各内面が、前記第２の組の対応付けされた前記各フラップの内面に当接することを特徴とするパッケージによって達成されている。
【０００６】
フラップおよびパネルのこの組み合わせによれば、開放装置の受け入れに利用可能な領域として上面パネル全面を使用できるパッケージを形成することが可能となる。第１のフラップの組のフラップが第２のフラップの組の内側に当接するため、フラップはパッケージの外側に向かって延びることになる。互いに当接するフラップによって形成されたラグは、下向きに折り曲げられて、側面パネルと平面的に重なるように側面パネルの外側に当接し、それによって、開放装置に利用可能な表面の妨げにならなくなる。パッケージの中へ延びるフラップやパネルは存在しないので、従来技術のような、自由な注出領域の妨げとなるフラップやパネルはどちらも存在しない。
【０００７】
フラップおよびパネルのこの組み合わせによれば、ジュース、牛乳、ワイン、トマトソース、コーンフレーク等のような注出可能な液状食品または固形食品に適した気密性の高いパッケージを形成することも可能である。パネルおよびフラップは、互いの延長部（extension of each other）であって、互いに当接して互いに密封しあうようになっている。
【０００８】
さらに、第２のフラップの組が第１の上面パネルから横方向に延びているため、第１の上面パネルは、パッケージの上面全体を実質的に覆うように延びることができる。しかも、第２のフラップの組のフラップは、第１の上面パネルが折り曲げられてパッケージの上面を形成すると、第１の上面パネルを側面パネルに固定することができる。
【０００９】
好ましい実施態様は、従属請求項から得られている。
【００１０】
パッケージは、背面パネルから縦方向に延びるように形成され、折り曲げられて第１の上面パネルと共にパッケージの上面を部分的に形成する第２の上面パネルをさらに有していてよい。このように、平面状の上面を設けることが容易となり、しかも開放装置を設けるための利用可能な大きい表面を備えることが容易となる。第２の上面パネルは、第１のパネルに確実で気密性の高い密封を与えるのに十分な長さだけ上面に沿って延びているだけで好ましく、その一方で、第１の上面パネルがパッケージの上面の大部分を形成している。
【００１１】
第１および第２の上面パネルが、各上面パネルから縦方向に延びる密封領域をそれぞれ有していてよく、密封領域が、各上面パネルに沿ってある距離だけ各上面パネルを越えて各横方向に延びていてよい。密封領域が、上面パネルに沿って延び、横方向には上面パネルのわずかに外側まで延びるように設けられることで、密封領域の内側を互いに当接して密封を形成することが可能となる。このように、例えば、内側にヒートシール可能な高分子層を備えた積層包装材料を使用することが可能となる。また、密封領域が延びることで、密封領域を第２のパネルの組と連結させ、それによって、完成したパッケージの第１の上面パネルの延長上として密封領域を自動的に案内することが可能となろう。その結果、第２の上面パネルの密封領域は第２の上面パネル上に折り曲げられ、それにより、第２の上面パネルを導入することで失われる表面積が最小限に抑えられることになる。
【００１２】
第２の上面パネルの縦方向への長さが、第２の上面パネルの密封領域の縦方向への長さに等しくてよい。この構成によれば、互いに当接する密封領域によって形成される密封フィンは、後方へ折り曲げられて第２の上面パネルに当接すると、その上端部が背面パネルと実質的に同一の平面内に位置することになる。このように、開放装置を受け入れるための最大表面積を第１の上面パネルで形成することができ、しかも密封フィンがパッケージの専有面積（footprint）を越えて延びることがなくなる。さらに、パッケージは、パッケージ上面に明確な線を備えることなく、審美的に魅力のある外観を有することになる。例えば隣接するパッケージに密封フィンが誤って引っ掛かるのを避けるために、密封フィンの上端部が上面の外周のわずかに内側にあることが好ましい。
【００１３】
各側面パネルが、横方向に平行に延びる幅を有していてよく、第１のフラップの組の各フラップが、幅に沿って、好ましくは幅全体に沿って延びる底辺を有する三角形または頂点が切り取られた三角形として形成されていてよい。このようにフラップを形成することで、これらのフラップは、側面パネルの延長部での密封を気密性の高いものにすることができる一方で、少なくとも同じ量の利用可能な幾何学的空間が残ることになるので、必要に応じて第２の組のフラップを形成するのをさらに可能にしている。
【００１４】
第１の上面パネルが、上面パネルとして折り曲げられる前に縦方向に沿った長さを有していてよく、第２のフラップの組の各フラップが、長さに沿って、好ましくは長さ全体に沿って延びる底辺を有する三角形または頂点が切り取られた三角形として形成されていてよい。第１のフラップの組のこれらのフラップについても同様に、フラップのこのような形成方法によって、これらのフラップは、上面パネルの延長部での密封を気密性の高いものにすることができる一方で、少なくとも同じ量の利用可能な幾何学的空間が残ることになるので、必要に応じて第１の組のフラップを形成するのをさらに可能にしている。
【００１５】
パッケージは、第１の上面パネル上に配置された開放装置をさらに有している。上述のように、上面パネルは、パッケージ上面のほぼ全表面積が開放装置に利用可能となるように形成される。さらに、その他の点で開放装置の自由な注出領域の妨げとなる可能性のある、パッケージの中へ延びるフラップやパネルは存在しないことになる。
【００１６】
本発明のさらに別の目的は、利用可能な大きい注出領域を与える大型の開放装置を受け入れるようになっているパッケージに折り曲げられるようになっているブランクを提供することである。
【００１７】
この目的は、管状の容器本体を形成して底面から上面まで縦方向に延びるようになっている、前面パネルと背面パネルと２枚の側面パネルとを有するブランクにおいて、該ブランクが、前記前面パネルから前記縦方向に延びるように形成され、パッケージの上面を実質的に形成するように折り曲げ可能である第１の上面パネルと、第１の２枚のフラップの組であって、（ａ）それぞれのフラップが、前記第１の上面パネルの各側端部上で前記第１の上面パネルから延びるように形成され、前記第１の上面パネルに対して折り曲げ可能であるか、または、（ｂ）第１のフラップが、前記第１の上面パネルの側部上で前記第１の上面パネルから延びるように形成されており、第２のフラップが、第１の補助上面パネルの側部上から延びるように形成されており、前記第１の補助上面パネルが、前記ブランクがパッケージに形成される時に前記第１の上面パネルと重なるようになっている、第１の２枚のフラップの組とを有し、前記第１の組の２枚のフラップのそれぞれが、第２のフラップの組の各フラップと対応付けされ、前記第１の組のフラップの各内面が、前記第２の組の対応付けされた各フラップの内面に当接するようになっていることを特徴とするブランクによって達成されている。
【００１８】
フラップおよびパネルのこの組み合わせによれば、開放装置の受け入れに利用可能な領域として上面パネル全面を使用できるパッケージを形成することが可能である。第１のフラップの組のフラップが第２の組のフラップの内側に当接するようになっているため、フラップは完成されたパッケージの外側に向かって延びることになる。互いに当接するフラップによって形成されたラグは、側面パネルと平面的に重なって側面パネルの外側に当接するように下向きに折り曲げ可能であり、それによって、開放装置に利用可能な表面の妨げにならなくなる。完成されたパッケージの中へ延びるフラップやパネルは存在しないことになるので、従来技術のような、自由な注出領域の妨げとなるフラップやパネルはどちらも存在しない。
【００１９】
フラップおよびパネルのこの組み合わせによれば、ジュース、牛乳、ワイン、トマトソース、コーンフレーク等のような注出可能な液状食品または固形食品に適した気密性の高いパッケージを形成することも可能である。パネルおよびフラップは、互いの延長部であって、互いに当接して互いに封止しあうようになっている。
【００２０】
さらに、第２のフラップの組が第１の上面パネルから横方向に延びているため、第１の上面パネルは、パッケージの上面全体を実質的に覆うように延びることができる。しかも、第２のフラップの組のフラップは、第１の上面パネルが折り曲げられてパッケージの上面を形成すると、第１の上面パネルを側面パネルに固定することができる。
【００２１】
本発明は、それぞれ異なる横方向位置で縦方向に切り開かれる様々な種類のブランクに導入されうるので、ブランクに関する請求項の代替が必要となる。
【００２２】
例えばブランクの縦方向の切開部が背面パネルの中央にある場合、第２の組のフラップは、すでにブランクとして上面パネルから物理的に延ばされていることになる。
【００２３】
例えばブランクの縦方向の切開部がパッケージの前面の角部にあれば、材料が無駄となり、フラップが上面パネルから両横方向に延びる場合にはパッケージを形成することが困難となろう。この場合、前面パネルの切開部側と連結するようになっている側面パネルは、小さい縦密封フラップを有している。この小さい縦密封フラップは、縦方向に延び、補助上面パネルを形成することになる。この補助上面パネルは、第２の組のフラップのうちの第２のフラップを保持することになる。したがって、第２の組のうち、一方のフラップが、上面パネルから本当に物理的に延びるように形成されているのに対して、他方のフラップは、上面パネルから架空に幾何学的に延びるように形成されており、補助上面パネルによって保持されている。補助上面パネルは、ブランクがパッケージに形成される際に第１の上面パネルに重なることになる。この配置構成では、第２のフラップが、上面パネルから物理的に延ばされていることもある。
【００２４】
好ましい実施態様は、従属請求項から得られている。従属請求項のそれぞれの特徴によって実現されるそれぞれの利点は、完成したパッケージに関する従属請求項の対応する特徴については詳しく説明している。同じ議論がブランクに関する従属請求項にも当てはまる。
【００２５】
ブランクは、背面パネルから縦方向に延びるように形成され、折り曲げられて第１の上面パネルと共にパッケージの上面を部分的に形成するようになっている第２の上面パネルをさらに有していてよい。
【００２６】
第１および第２の上面パネルが、各上面パネルから縦方向に延びる密封領域をそれぞれ有していてよく、密封領域が、各上面パネルに沿ってある距離だけ各上面パネルを越えて各横方向に延びていてよい。
【００２７】
第２の上面パネルの縦方向への長さが、第２の上面パネルの密封領域の縦方向への長さに等しくてよい。
【００２８】
各側面パネルが、横方向に平行に延びる幅を有していてよく、第１のフラップの組の各フラップが、幅に沿って、好ましくは幅全体に沿って延びる底辺を有する三角形または頂点が切り取られた三角形として形成されていてよい。
【００２９】
第１の上面パネルが、縦方向に沿った長さを有していてよく、第２のフラップの組の各フラップが、長さに沿って、好ましくは長さ全体に沿って延びる底辺を有する三角形または頂点が切り取られた三角形として形成されていてよい。
【発明を実施するための最良の形態】
【００３０】
以下に、添付の概略図を参照して、現在好ましい実施形態の例によって本発明を説明する。
【００３１】
（好ましい実施形態の詳細な説明）
この詳細な説明では、ブランクまたはパッケージという用語は、どちらが理解を最良のものにするかに応じて参照されている。議論となるブランクは、パッケージを形成するための中間製品である。
【００３２】
図１を参照すれば、ブランクは、前面パネル１０と背面パネル１２と２枚の側面パネル１４、１６とを有している。ブランクは、一方の側面パネル１６に沿って延びる縦密封フラップ１８をさらに有している。前面パネル１０および第１の側面パネル１４は折り目線１１で接合され、第１の側面パネル１４および背面パネル１２は折り目線１３で接合され、背面パネル１２および第２の側面パネル１６は折り目線１５で接合され、第２の側面パネル１６および縦密封フラップ１８は折り目線１８で接合されている。前面パネル１０、背面パネル１２、および側面パネル１４、１６は、折り目線１１、１３、および１５に対して互いに折り曲げられて、管状の容器本体を形成するようになっている。密封フラップ１８は、折り目線１７に対して折り曲げ可能であり、前面パネル１０に密封可能である。密封フラップ１８の外側は、前面パネル１０の内側に密封されている。
【００３３】
底面領域Ａにおいて、ブランクは、いくつかの折り目線によって規定されるパネルの連続バンドを備えている。密封領域ａおよびｂは、互いに内側同士で当接するようになっており、それによっていわゆる密封フィンを形成する。第１の側面パネルから延びるように形成される領域に形成された三角領域２１、２２および２３は、小さい方の三角領域２１および２３を大きい方の三角領域２２上へ折り返すように、折り曲げられるようになっている。それによって、密閉された容器の三角ラグが形成される。このラグは、側面パネル１４と三角領域２２との間の折り目線２２ａに対して折り曲げられて、パッケージの底面に当接して密封することができる。同様に、第２の側面パネル１６から延びるように形成される領域に形成された三角領域２４、２５、２６は、折り曲げられてラグを形成し、そのラグは、やはりパッケージの底面に折り曲げられて密封されることになる。底面パネル２７および２８は、密封領域ａおよびｂが互いに当接するように、互いに向かって折り曲げられる。２枚の底面パネル２７および２８は、パッケージの底面の半分をそれぞれ占有することになる。いくつかの折り目線によって規定されるこのようなパネルの連続バンドを使用してパッケージの底面を形成することは当技術分野では公知なので、この底面形成の方法については、これ以上詳しくは議論しない。
【００３４】
ブランクは、前面パネル１０から縦方向Ｌに延びるように形成されている第１の上面パネル４０をさらに有している。第１の上面パネル４０は、前面パネル１０と第１の上面パネル３０との間の折り目線３１で、前面パネル１０に対して折り曲げ可能である。
【００３５】
第２の上面パネル５０は、背面パネル１２から縦方向Ｌに延びるように形成されている。第２の上面パネル５０は、背面パネル１２と第２の上面パネル５０との間の折り目線５１で、背面パネル１２に対して折り曲げ可能である。
【００３６】
ブランクは、それぞれが各側面パネル１４、１６から延びるように形成されている、第１の２枚のフラップの組４０、６０をさらに有している。フラップ４０、６０は、フラップ４０、６０と各側面パネル１４、１６との間の各折り目線４１、６１に対して折り曲げ可能である。
【００３７】
ブランクは、それぞれが上面パネル３０から延びるように形成されている、第２の２枚のフラップの組４５、６５をさらに有している。一方のフラップ４５が、上面パネル３０から本当に物理的に延びるように形成されているのに対して、他方のフラップ６５は、上面パネル３０から架空に幾何学的に延びるように形成されていることに留意されよう。密封フラップ１８から縦方向Ｌに延ばされている密封領域１９は、図２に示すようにブランクが折り曲げられて開口端を備えた管状の容器本体を形成するときに、第１の上面パネル３０の一部３０’を形成することになる。この配置構成では、第２のフラップ６５が上面パネル３０から物理的に延ばされていることもある。ブランクの縦方向の切開部が背面パネル１２の中央にあった場合、フラップ４５、６５は、ブランクとしてすでに上面パネル３０から物理的に延ばされており、上面パネル３０から架空に延ばされる部分３０’はブランクには存在しないことになる。第２のフラップの組のフラップ４５、６５は、第１の上面パネル３０、３０’の各部分と共通の折り目線３３、３３’に対して折り曲げ可能である。
【００３８】
フラップ４０、６０のそれぞれは、第２のフラップの組の各フラップ４５、６５と対応付けされている。第１の側面パネル１４から延びるように形成される領域に位置するフラップ４０、４５は互いに対応付けされ、第２の側面パネル１６から延びるように形成される領域に位置するフラップ６０、６５は互いに対応付けされている。第１のフラップの組のフラップ４０、６０は、切り込み線４６、６６によって、第２の組のそれぞれ対応付けされたフラップ４５、６５から分離されている。
【００３９】
パッケージとして形成されると、対応付けされたフラップは、互いに内側同士で当接して、密封されるか接着剤で接着されるようになっている（図３参照）。密封された角部を得るために。
【００４０】
第１および第２の上面パネルは、各上面パネル３０、３０’、５０から縦方向Ｌに延びる密封領域３２、５２をそれぞれ有している。密封領域３２、５２は、各上面パネル３０、３０’、５０を越えて各横方向Ｔ１、Ｔ２に延びており、主密封領域３２ａ、３２ｂから横方向Ｔ１、Ｔ２に延びる付加密封領域３２ｂ、３２ｃ、５２ｂ、５２ｃを形成している。主密封領域は、各上面パネル３０、５０から延び、各上面パネル３０、５０と同じ横幅を有している。
【００４１】
上述のように、第１および第２のフラップの組の対応付けされたフラップ４０、４５；６０、６５は、切り込み線４６；６６によって互いに分離されている。このように形成されたフラップ４０、４５、６０、６５は三角形をなしている。第１のフラップの組のフラップ４０、６０は、それぞれの底辺が各側面パネル１４、１６の上端部全体に沿って（横方向に）延びる二等辺三角形として形成されている。第２のフラップの組のフラップ４５、６５は、それぞれの底辺が上面パネル３０、３０’の高さ全体に沿って縦方向Ｌに延びる二等辺三角形として形成されている。、切断されていない状態で２つの対応付けされたフラップ４０、４５；６０、６５の端部が揃えられるときには、２つの三角形は、各フラップの底辺が直角三角形のそれぞれ短い方の辺を形成する三角形を形成することになる。したがって、対応付けされたフラップは、大きい直角二等辺三角形の高さに沿った切り込み線４６、６６によって二等分された直角二等辺三角形から形成されている。
【００４２】
図２に示すように、前面パネル１０と背面パネル１２と側面パネル１４、１６とは、管状の容器本体を形成している。付加密封領域３２ｂ、３２ｃ、５２ｂ、５２ｃは、縦方向Ｌから見て隣接するパネルやフラップと連結しているので、所望の位置に案内されることになる。密封領域３２ｂ、３２ｃは第２のフラップの組のフラップ４５、６５と連結している。容器の外周に（図２のように）追随するフラップ４５、６５を有していることが望ましく、あるいは第１の上面パネル３０と実質的に同じ平面内にフラップ４５、６５を有していることが望ましい。いずれの場合も、密封領域３２ｂ、３２ｃはフラップ４５、６５と同じ平面内に存在することになる。密封領域５２ｂ、５２ｃは、密封領域５２ｂ、５２ｃと側面パネル１４、１６と第１のフラップの組のフラップ４０、６０とに連結した小さな三角パネル５２ｄ、５２ｅによって案内される。それによって、フラップ４０、６０と第２の上面パネル５０の密封領域５２ｂ、５２ｃとが、容器本体の外周に追随することになる。
【００４３】
液密のパッケージを有することが望ましい場合には、３枚の隣接するパネルやフラップ、すなわち第２の上面パネル５０の付加密封領域５２ｂ、５２ｃと第２の上面パネル５０と第１のフラップの組のフラップ４０、６０との間の角部に、三角パネル５２ｄ、５２ｅが存在すると有益である。三角パネル５２ｄ、５２ｅによって、パッケージ背面の上角部に連続材料が与えられる。同様に、密封領域３２ｂ、３２ｃと第２のフラップの組のフラップ４５、６５との間の連結によって、密封フィン３２、５２に追随する連続材料が、容器本体からある距離だけ外側に設けられる。
【００４４】
さらに、前面パネル１０と各側面パネル１４、１６と第１の上面パネル３０とで形成される、成形パッケージの前面の２つの上角部を気密性の高い角部をするために、切り込み線４６および６６は、前面パネル１０の角部までは完全に切り込みが入っていない。切り込み線４６、６６は、前面パネル１０の角部からある距離で折り目線に変形されている。各切り込み線４６、６６の切り込みが入らずに折られる部分の長さは、付加密封領域３２ｂ、３２ｃ；５２ｂ、５２ｃの長さに相当する。
【００４５】
切り込み部分を除いて、すなわち切り込み線４６および６６のうちの外側部分を除いて、図１のブランクの輪郭線の内側のすべての線が、ブランクをパッケージに正しく折ることを容易にする折り目線であることにも留意されたい。折り目線は、任意の適切な折り目形成方法を使用して形成されていてよい。
【００４６】
図３を参照すると、第２の上面パネル５０の密封領域５２が、上面パネル５０上に、外側同士が重なるように再び折り返されるのに対して、第１の上面パネル３０の密封領域３２は、第１の上面パネル３０と実質的に同じ平面内に延びていることに留意されよう。密封領域３２、５２は、互いに内側同士で密封されることになる。
【００４７】
第２のフラップの組のフラップ４５、６５は、最初は折り目線３３、３３’で外側に折り曲げられ、第１のフラップの組のフラップ４０、６０は、最初は第１の上面パネル３０と実質的に同じ平面内に延びている。フラップ４０、４５；６０、６５は、互いに内側同士で密封されることになる。密封領域４２、５２とフラップ４０、４５；６０、６５とが互いに密封されると、パッケージは図４に示すような状態に達することになる。
【００４８】
最終的に、パッケージは、フラップ４０、４５；６０、６５をそれぞれ側面パネル１４、１６に沿って折り曲げることによって形成される。フラップをこのように折り曲げることにより、密封領域３２、５２によって形成された密封フィンが、第２の上面パネル５０に沿って折り返されて押さえつけられることになる。
【００４９】
パッケージは、第１の上面パネル３０上に配置された開放装置７０を備えている。パッケージの形成中には、パッケージに開放装置７０を設けることのできる機会が数多くある。例えば、図２に示すような状態の場合に、第１の上面パネル３０の両側（内側および外側）にアクセスするのがこの時点では容易なので、ブランクの第１の上面パネル３０に貫通穴を設けて、パッケージに開放装置を追加するのが適切である。第１の上面パネル３０の縦方向Ｌへの長さが第２の上面パネル５０の対応する長さよりも大きいので、管状の容器本体の外周内の空きスペースより大きい空間を工具が必要とする場合でも、第１の上面パネル３０の内側へ自由にアクセスすることに留意されよう。
【００５０】
第２の上面パネル５０の縦方向への長さが、第２の上面パネル５０の密封領域５２の縦方向への長さに等しい。この構成によれば、互いに当接する密封領域３２、５２によって形成される密封フィンは、後方へ折り曲げられて第２の上面パネル５０に当接すると、その上端部が背面パネル１２と実質的に同一の平面内に位置することになる（図５参照）。例えば隣接するパッケージに密封フィンが誤って引っ掛かるのを避けるために、密封フィンの上端部が上面の外周のわずかに内側にあることが好ましい。
【００５１】
要約すれば、パッケージの各ブランクは、底面から上面まで縦方向Ｌに延びる管状の容器本体を形成する、前面パネル１０、背面パネル１２および２枚の側面パネル１４、１６と、前面パネル１０から縦方向Ｌに延びるように形成され、折り曲げられてパッケージの上面を実質的に形成する第１の上面パネル３０と、第１の２枚のフラップの組であって、それぞれが各側面パネル１４、１６から縦方向Ｌに延びるように形成されている、第１の２枚のフラップの組４０、６０と、縦方向Ｌに直交する互いに逆向きの横方向Ｔ１、Ｔ２に延びる第２の２枚のフラップの組であって、それぞれのフラップ４５、６５が第１の上面パネル３０の各側端部上で第１の上面パネル３０から延びるように形成されている、第２の２枚のフラップの組４５、６５とを有していると言えよう。
【００５２】
当業者には、本発明の範囲内でいくつかの修正および変更が可能であることが容易に理解される。
【００５３】
例えば、特定の種類の底面形成方法が開示されているが、他のいくつかの方法を採用できることに留意されよう。例えば、ゲーブルトップ容器は、側面パネルから延ばされている三角部分を容器本体に折り込むような、わずかに異なる手法を用いて通常形成されている。密封フィンは、単に前面および背面パネルに沿って延びているに過ぎず、三角フラップ外側の密封領域は、より短いこの密封フィン内へ再度折り曲げられることになる。本発明の範囲内で採用できる底面密封技術がまだ他にもいくつか存在することに留意されよう。
【００５４】
密封フラップが、切開部でのパネルの縦方向の高さ全体に沿って、密封フラップ１８および密封領域１９に対応して切開部に設けられるかぎり、平らに置かれた（flat laid）ブランクを提供するための縦方向の切開部を横方向の別の位置に設けることができることにも留意されよう。
【００５５】
フラップが、完全な三角形として延びるのではなく、三角形の頂点が切断された切頂三角形として形成されていてよいことにも留意されよう。この頂点が切り取られた構成は、図１の点線４０ｔ、４５ｔ、６０ｔ、６５ｔによって示されている。
【図面の簡単な説明】
【００５６】
【図１】パネルおよびフラップが折り曲げられ密封されて、本発明によるパッケージを形成するようになっている、本発明によるブランクを示す図である。
【図２】ブランクが折り曲げられて開放された上端部を有する管状体を形成した状態での、ブランクまたはパッケージを上方から見た斜視図である。
【図３】２枚のパネルおよび対応付けされたフラップが折り曲げ始められた状態での、ブランクまたはパッケージを上方から見た斜視図である。
【図４】フラップおよび密封領域は密封されている状態ではあるが、パッケージはまだ最終的な形状になっていない状態での、ブランクまたはパッケージを上方から見た斜視図である。
【図５】開放装置を備えた最終的なパッケージを示す図である。
【図１】
2009520652.tif 000003
【図２】
2009520652.tif 000004
【図３】
2009520652.tif 000005
【図４】
2009520652.tif 000006
【図５】
2009520652.tif 000007
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
底面から上面まで縦方向（Ｌ）に延びる管状の容器本体を形成する、前面パネル（１０）と背面パネル（１２）と２枚の側面パネル（１４、１６）とを有するパッケージであって、
前記前面パネル（１０）から前記縦方向（Ｌ）に延びるように形成され、折り曲げられて前記パッケージの上面を実質的に形成する第１の上面パネル（３０）と、
前記背面パネル（１２）から前記縦方向（Ｌ）に延びるように形成され、折り曲げられて前記第１の上面パネル（３０）と共に前記パッケージの上面を部分的に形成する第２の上面パネル（５０）と、
第１の２枚のフラップの組であって、それぞれが、前記各側面パネル（１４、１６）から前記縦方向（Ｌ）に延びるように形成され、折り曲げられて前記各側面パネル（１４、１６）と平面的に重なる、第１の２枚のフラップの組（４０、６０）と、
前記縦方向（Ｌ）に直交する互いに逆向きの横方向（Ｔ１、Ｔ２）に延びる第２の２枚のフラップの組であって、それぞれのフラップ（４５、６５）が、前記第１の上面パネル（３０）の各側端部上で前記第１の上面パネル（３０）から延びるように形成されている、第２の２枚のフラップの組（４５、６５）とをさらに有し、
前記第１の組の２枚のフラップ（４０、６０）のそれぞれが、前記第２のフラップの組（４５、６５）の各フラップと対応付け（４０と４５、６０と６５）され、
前記第２の２枚のフラップの組の各フラップ（４５、６５）が、折り曲げられて前記各側面パネル（１４、１６）と平面的に重なり、
前記第１の組のフラップの各内面が、前記第２の組の対応付けされた前記各フラップの内面に当接し、
前記第１および第２の上面パネル（３０、５０）が、前記各上面パネル（３０、５０）から前記縦方向（Ｌ）に延びる密封領域（３２、５２）をそれぞれ有するパッケージにおいて、
前記第２の上面パネル（５０）の前記縦方向（Ｌ）への長さが、前記第２の上面パネル（５０）の前記密封領域（５２）の前記縦方向（Ｌ）への長さに等しく、
前記第１および第２の上面パネル（３０、５０）の前記密封領域（３２、５２）が、前記各上面パネル（３０、５０）に沿ってある距離（３２ｂ、３２ｃ、５２ｂ、５２ｃ）だけ前記各上面パネルを越えて前記各横方向（Ｔ１、Ｔ２）に延びている
ことを特徴とするパッケージ。
【請求項２】
前記各側面パネル（１４、１６）が、前記横方向（Ｔ１、Ｔ２）に平行に延びる幅を有しており、前記第１のフラップの組の前記各フラップ（４０、６０）が、前記幅に沿って、好ましくは前記幅全体に沿って延びる底辺を有する三角形または頂点が切り取られた三角形として形成されている、請求項１に記載のパッケージ。
【請求項３】
前記第１の上面パネル（３０）が、上面パネルとして折り曲げられる前に前記縦方向（Ｌ）に沿った長さを有し、前記第２のフラップの組の前記各フラップ（４５、６５）が、前記長さに沿って、好ましくは前記長さ全体に沿って延びる底辺を有する三角形または頂点が切り取られた三角形として形成されている、請求項１または２に記載のパッケージ。
【請求項４】
前記第１の上面パネル（３０）上に配置された開放装置（７０）をさらに有する、請求項１から３のいずれか１項に記載のパッケージ。
【請求項５】
管状の容器本体を形成して底面から上面まで縦方向（Ｌ）に延びるようになっている、前面パネル（１０）と背面パネル（１２）と２枚の側面パネル（１４、１６）とを有するブランクであって、
前記前面パネル（１０）から前記縦方向（Ｌ）に延びるように形成され、パッケージの上面を実質的に形成するように折り曲げ可能である第１の上面パネル（３０）と、
前記背面パネル（１２）から前記縦方向（Ｌ）に延びるように形成され、折り曲げられて前記第１の上面パネル（３０）と共に前記パッケージの上面を部分的に形成するようになっている第２の上面パネル（５０）と、
第１の２枚のフラップの組であって、それぞれが、前記各側面パネル（１４、１６）から前記縦方向（Ｌ）に延びるように形成され、前記各側面パネル（１４、１６）に対して折り曲げ可能である、第１の２枚のフラップの組（４０、６０）と、
前記縦方向（Ｌ）に直交する互いに逆向きの横方向（Ｔ１、Ｔ２）に延びる第２の２枚のフラップの組（４５、６５）であって、
（ａ）それぞれのフラップ（４５、６５）が、前記第１の上面パネル（３０）の各側端部上で前記第１の上面パネル（３０）から延びるように形成され、前記第１の上面パネル（３０）に対して折り曲げ可能であるか、または、
（ｂ）第１のフラップ（４５）が、前記第１の上面パネル（３０）の側部上で前記第１の上面パネル（３０）から延びるように形成されており、第２のフラップ（６５）が、第１の補助上面パネル（３０’）の側部上から延びるように形成されており、前記第１の補助上面パネルが、前記ブランクがパッケージに形成される時に前記第１の上面パネル（３０）と重なるようになっている、第２の２枚のフラップの組（４５、６５）とを有し、
前記第１の組の２枚のフラップ（４０、６０）のそれぞれが、前記第２のフラップの組（４５、６５）の各フラップと対応付け（４０と４５、６０と６５）され、
前記第１の組のフラップ（４０、６０）の各内面が、前記第２の組の対応付けされた前記各フラップ（４５、６５）の内面に当接するようになっており、
前記第１および第２の上面パネル（３０、５０）が、前記各上面パネル（３０、５０）から前記縦方向（Ｌ）に延びる密封領域（３２、５２）をそれぞれ有するブランクにおいて、
前記第２の上面パネル（５０）の前記縦方向（Ｌ）への長さが、前記第２の上面パネル（５０）の前記密封領域（５２）の前記縦方向（Ｌ）への長さに等しく、
前記第１および第２の上面パネル（３０、５０）の前記密封領域（３２、５２）が、前記各上面パネル（３０、５０）に沿ってある距離（３２ｂ、３２ｃ、５２ｂ、５２ｃ）だけ前記各上面パネルを越えて前記各横方向（Ｔ１、Ｔ２）に延びている
ことを特徴とするブランク。
【請求項６】
前記各側面パネル（１４、１６）が、前記横方向（Ｔ１、Ｔ２）に平行に延びる幅を有し、前記第１のフラップの組の前記各フラップ（４０、６０）が、前記幅に沿って、好ましくは前記幅全体に沿って延びる底辺を有する三角形または頂点が切り取られた三角形として形成されている、請求項５に記載のブランク。
【請求項７】
前記第１の上面パネル（３０）が、前記縦方向（Ｌ）に沿った長さを有し、前記第２のフラップの組の前記各フラップ（４５、６５）が、前記長さに沿って、好ましくは前記長さ全体に沿って延びる底辺を有する三角形または頂点が切り取られた三角形として形成されている、請求項５または６に記載のブランク。
【国際調査報告】
2009520652.tif 000008
2009520652.tif 000009
2009520652.tif 000010